(57)【要約】【課題】ＰＬＣモデムにおいて、ＤＨＣＰサーバから払い出された、ＩＰアドレスをＰＬＣモデム本体に液晶などで自動表示できるようにした、ＰＬＣモデムを提供すること。【解決手段】ＤＨＣＰサーバによりネットワーク接続情報の払い出しが行われるネットワークに接続されたＰＬＣモデムは、文字情報を可視表示する表示部を有し、自装置に割り当てられたネットワーク接続情報を前記表示部に表示する。【選択図】図１
2008199322.tif 000002
【特許請求の範囲】
【請求項１】
ＤＨＣＰサーバによりネットワーク接続情報の払い出しが行われるネットワークに接続されたＰＬＣモデムであって、
文字情報を可視表示する表示部を有し、自装置に割り当てられたネットワーク接続情報を前記表示部に表示することを特徴とするＰＬＣモデム。
【請求項２】
ネットワーク接続情報の割り当ては、前記ＤＨＣＰサーバ以外の他の手段により固定値を設定することを特徴とする請求項１記載のＰＬＣモデム。
【請求項３】
ネットワークに接続されたＰＬＣモデムにネットワーク接続情報の払い出しを行うＤＨＣＰサーバであって、
前記ＰＬＣモデムの文字情報を可視表示する表示部に割り当てられたネットワーク接続情報を表示させることを特徴とするＤＨＣＰサーバ。
【請求項４】
ＤＨＣＰサーバによりネットワーク接続情報の払い出しが行われるネットワークに接続されたＰＬＣモデムは、
文字情報を可視表示する表示部を有し、自装置に割り当てられたネットワーク接続情報を前記表示部に表示することを特徴とするネットワーク接続情報の自動表示システム。
【請求項５】
ネットワーク接続情報の割り当ては、前記ＤＨＣＰサーバ以外の他の手段により固定値を設定することを特徴とする請求項４記載のネットワーク接続情報の自動表示システム。
【請求項６】
ＤＨＣＰサーバによりネットワーク接続情報の払い出しが行われるネットワークに接続されたＰＬＣモデムは、
文字情報を可視表示する表示部を有し、自装置に割り当てられたネットワーク接続情報を前記表示部に表示することを特徴とするネットワーク接続情報の自動表示方法。
【請求項７】
ネットワーク接続情報の割り当ては、前記ＤＨＣＰサーバ以外の他の手段により固定値を設定することを特徴とする請求項６記載のネットワーク接続情報の自動表示方法。
【請求項８】
コンピュータに請求項１から３のいずれか１項に記載の機能を実現させることを特徴とするプログラム。
【発明の詳細な説明】
【技術分野】
【０００１】
本発明は、ＰＬＣモデムにおいて、ＤＨＣＰサーバから払い出された、ＩＰアドレスをＰＬＣモデム本体に液晶などで自動表示する技術に関する。
【背景技術】
【０００２】
従来のＤＨＣＰからはらいだされた各ＰＬＣモデムのアドレス情報の確認方法を図２を参照して説明する。
【０００３】
図２において、各ＰＬＣモデムにＤＨＣＰサーバからＩＰアドレスが払い出された場合、ＰＬＣモデムに払い出されたＩＰアドレスを確認するには、ＤＨＣＰサーバにてＰＬＣモデムのＭＡＣアドレスを検索することによりＩＰアドレスを確認する。
【０００４】
ここで、プリンタにおいて、ＤＨＣＰサーバ通信部によりＤＨＣＰサーバからＩＰアドレスを含むネットワーク設定に関する情報を取得し、ユーザがオペレーションパネルからＩＰアドレスの設定を行うに際して、プリンタはＤＨＣＰサーバから取得したＩＰアドレスをデフォルト値として表示し、表示された情報をユーザが必要に応じて変更し設定することで、ネットワークに接続する際のＩＰアドレスの設定を適切に行えることができる技術が提案されている（例えば、特許文献１参照）。
【特許文献１】特開２００５−２５２５７８号公報
【発明の開示】
【発明が解決しようとする課題】
【０００５】
しかしながら、従来のＤＨＣＰから払い出された各ＰＬＣモデムのアドレス情報の確認方法においては、次のような課題がある。第１の課題は、その確認作業に手間がかかるということである。
【０００６】
第２の課題は、ＤＨＣＰからアドレスを供給される端末がＰＬＣ以外にも数百台あった場合にＭＡＣアドレスからＩＰアドレスを検索するには多大な時間を要するということである。
【０００７】
本発明は、以上説明した問題点を解決するためになされたものである。その目的は、ＰＬＣモデムにおいて、ＤＨＣＰサーバから払い出された、ＩＰアドレスをＰＬＣモデム本体に液晶などで自動表示できるようにした、ＰＬＣモデムを提供することである。
【課題を解決するための手段】
【０００８】
本発明は、ＤＨＣＰサーバによりネットワーク接続情報の払い出しが行われるネットワークに接続されたＰＬＣモデムであって、
文字情報を可視表示する表示部を有し、自装置に割り当てられたネットワーク接続情報を前記表示部に表示するＰＬＣモデムを提供する。
【０００９】
また、本発明は、ネットワークに接続されたＰＬＣモデムにネットワーク接続情報の払い出しを行うＤＨＣＰサーバであって、
前記ＰＬＣモデムの文字情報を可視表示する表示部に割り当てられたネットワーク接続情報を表示させるＤＨＣＰサーバを提供する。
【００１０】
また、本発明は、ＤＨＣＰサーバによりネットワーク接続情報の払い出しが行われるネットワークに接続されたＰＬＣモデムは、
文字情報を可視表示する表示部を有し、自装置に割り当てられたネットワーク接続情報を前記表示部に表示するネットワーク接続情報の自動表示システムを提供する。
【００１１】
また、本発明は、ＤＨＣＰサーバによりネットワーク接続情報の払い出しが行われるネットワークに接続されたＰＬＣモデムは、
文字情報を可視表示する表示部を有し、自装置に割り当てられたネットワーク接続情報を前記表示部に表示するネットワーク接続情報の自動表示方法を提供する。
【発明の効果】
【００１２】
本発明によれば、ＰＬＣモデムにおいて、ＤＨＣＰサーバから払い出された、ＩＰアドレスをＰＬＣモデム本体に液晶などで自動表示できるようにした、ＰＬＣモデムを提供することができる。
【発明を実施するための最良の形態】
【００１３】
以下、本発明の第１の実施の形態について図面を参照して詳細に説明する。図１を参照すると、本実施の形態におけるネットワーク接続情報の自動表示システムは、ＰＬＣモデムの液晶などでの表示部には、ＤＨＣＰサーバからＰＬＣモデムに払い出されたＩＰアドレス、サブネットマスクおよびデフォルトゲートウェイが表示される構成とする。
【００１４】
次に、本実施の形態の動作を説明する。
図１において、各ＰＬＣモデムのアドレスの設定が「ＤＨＣＰ」と設定されている場合、各ＰＬＣモデムをネットワークに接続すると、ＤＨＣＰサーバから各ＰＬＣにＩＰアドレス情報が払い出される。
【００１５】
各ＰＬＣモデムはＤＨＣＰサーバから払い出されたＩＰアドレス、サブネットマスクおよびデフォルトゲートウェイのアドレス情報を液晶などの表示部に自動表示する。
【００１６】
以上説明したように、本実施の形態によれば、ＰＬＣモデムにおいて、ＤＨＣＰサーバ等から払い出された、ＩＰアドレスをＰＬＣモデム本体に液晶などで自動表示するので、ＩＰアドレスを確認する際に、ＤＨＣＰサーバにてＰＬＣモデムのＭＡＣアドレスを検索することによりＩＰアドレスを確認する様な確認作業の手間がかからず、ＰＬＣモデム本体にてＩＰアドレスを確認することが可能となる。
【００１７】
また、ＰＬＣモデムにおいて、ＤＨＣＰサーバ等から払い出された、ＩＰアドレスをＰＬＣモデム本体に液晶などで自動表示するので、ＰＬＣ監視・設定ツールなどでＰＬＣモデムの監視・設定をする際にＰＬＣ監視・設定ツールに設定するＩＰアドレス情報の判断が容易にできる。
【００１８】
また、ＰＬＣモデムにおいて、ＤＨＣＰサーバ等から払い出された、ＩＰアドレスをＰＬＣモデム本体に液晶などで自動表示するので、ＰＬＣ監視・設定ツールなどで監視・設定するＰＬＣモデムの設置場所の識別が容易につく。
【００１９】
本発明の他の実施の形態として、基本的には上記の通りであるが、ＰＬＣモデムに固定でＩＰアドレスを設定する際にも、モデム本体に液晶などで自動表示すると、ＰＬＣ監視・設定ツールなどでＰＬＣモデムの監視・設定をする際にＰＬＣ監視・設定ツールに設定するＩＰアドレス情報の判断が容易にできる効果とＰＬＣ監視・設定ツールなどで監視・設定するＰＬＣモデムの設置場所の識別が容易につくという効果が得られる。
【００２０】
なお、上述する実施の形態は、本発明の好適な実施の形態であり、本発明の要旨を逸脱しない範囲内において種々変更実施が可能である。例えば、ＤＨＣＰサーバ、ＰＬＣ監視・設定ツール、ＰＬＣモデム等の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００２１】
本発明は、各種業種において自社内ネットワークにＰＬＣを導入する企業などで、ＰＬＣにてネットワークの構築・運用・管理を必要とする分野で適用可能である。
【図面の簡単な説明】
【００２２】
【図１】本発明の実施の形態のシステム構成を示す構成図である。
【図２】従来のシステム構成を示す構成図である。
【図１】
2008199322.tif 000003
【図２】
2008199322.tif 000004